(57)【要約】【課題】携帯機器本体との接続を簡単にすることができ、携帯機器本体からのノイズの影響を受けにくく、ＧＰＳの機能を十分に発揮させることが可能な携帯装置を提供する。【解決手段】ＧＰＳ受信機とＧＰＳアンテナを搭載した第１集積回路ＩＣ２２と、コントローラ用の制御回路搭載の第２集積回路ＩＣ２２をコントローラ本体２に格納し、コントローラ本体２にはヘッドフォンジャック２１とモバイル機器へ接続される音楽／音声用端子とＧＰＳ用端子２２を備え、モバイル機器本体２２にこの端子２２を挿入することによりモバイル機器本体３側から電源電圧ＶＤＤが供給され、コントローラとＧＰＳ機能は使用可能となるように構成されている。【選択図】      図１
2005249668.tif 000002
【特許請求の範囲】
【請求項１】
外部からの操作に応じて所定の処理を行う携帯機器本体と、
上記携帯機器本体を外部から操作するリモートコントローラ本体と、を有し、
上記携帯機器本体は、
上記リモートコントローラ本体の駆動電力を供給可能な電源回路と、
上記外部からの操作情報に応じた処理の制御を行う第１の制御回路と、含み、
上記リモートコントローラ本体は、
少なくとも情報ラインおよび電源ラインを有し、上記携帯機器本体に接続可能な接続手段と、
上記携帯機器本体を操作するための少なくとも一つの操作手段と、
上記接続手段を介して上記携帯機器本体からの駆動電力を受け、衛星電波を受信して測位情報を得る測位用受信機と、
少なくとも上記測位用受信機の測位情報に応じた位置情報を上記接続手段を介して上記携帯機器本体の上記第１の制御回路に提供する第２の制御回路と、を含む
携帯装置。
【請求項２】
上記リモートコントローラ本体は、上記接続手段を介して供給される電源電圧を伝搬する電源ラインと、上記接続手段の情報ラインに接続された信号ラインとを有し、
上記操作手段は、上記電源ラインと上記信号ライン間に接続されている
請求項１記載の携帯装置。
【請求項３】
上記リモートコントローラ本体は、上記接続手段を介して供給される駆動電力の上記第２の制御回路および測位用受信機への供給ラインに、当該供給ラインをオン、オフする電源スイッチを有する
請求項１記載の携帯装置。
【請求項４】
上記第２の制御回路は、上記測位用受信機の使用、不使用にかかわらず上記接続手段を介して上記携帯機器本体を制御可能で、上記測位用受信機の使用時に位置情報を上記接続手段を介して上記携帯機器本体の上記第１の制御回路に提供する
請求項１記載の携帯装置。
【請求項５】
上記リモートコントローラ本体は、ヘッドフォンジャックを有し、
上記接続手段は、上記ヘッドフォンジャックに音楽／音声情報を供給する音楽／音声用端子を含む
請求項４記載の携帯装置。
【請求項６】
上記接続手段は、上記第２の制御回路の上記携帯機器本体の制御ラインと、上記位置情報の転送ラインとを共用する端子を含む
請求項４記載の携帯装置。
【請求項７】
上記接続手段は、上記第２の制御回路の上記携帯機器本体の制御ラインと音楽／音声用ラインとを含む第１の端子と、位置情報の転送ラインを含む第２の端子を含む
請求項５記載の携帯装置。
【請求項８】
上記リモートコントローラ本体は、表示装置を有し、
上記第２の制御回路は、上記表示装置の表示制御を行う
請求項１記載の携帯装置。
【請求項９】
上記携帯機器本体の第１の制御回路は、上記第２の制御回路に対して上記接続手段を介して位置情報の更新時間を任意に設定可能である
請求項１記載の携帯装置。
【請求項１０】
上記携帯機器本体の第１の制御回路は、上記第２の制御回路に対し上記接続手段を介して上記測位用受信機をスリープモードまたは起動状態に設定させる
請求項１記載の携帯装置。
【請求項１１】
上記携帯機器本体の第１の制御回路は、上記第２の制御回路に対し上記接続手段を介して上記測位用受信機をスリープモードまたは起動状態に設定させる
請求項３記載の携帯装置。
【請求項１２】
上記第２の制御回路は、上記操作手段が所定時間操作されない場合には、上記測位用受信機をスリープモードに設定し、上記操作手段が操作されると上記測位用受信機を起動させる
請求項１記載の携帯装置。
【発明の詳細な説明】
【技術分野】
【０００１】
本発明は、全世界的測位システム（ＧＰＳ：Global  Positioning  System ）機能を搭載した情報携帯端末等の携帯装置に関するものである。
【背景技術】
【０００２】
人工衛星からの電波を受信して移動体の現在位置を測定するＧＰＳシステムは、携帯電話やＰＤＡ（Personal Digital Assistant）等の携帯装置に搭載されてきている。
【０００３】
このような携帯装置は、携帯機器本体にＧＰＳ受信機を内蔵したり、メモリカード等のインタフェースを利用したり、ＵＳＢ、ＢｌｕｅＴｏｏｔｈ（ブルートゥース）等の各種インタフェースを利用して携帯機器本体へ位置情報を提供している。
【０００４】
メモリカード等のインタフェースを利用したＧＰＳ受信機は、メモリカード等を内蔵し本体のスロットルに挿して使用する。
ＵＳＢを利用した携帯装置は、ＵＳＢを内蔵したＧＰＳ受信機をＵＳＢケーブルによって接続して本体へ位置情報を提供する。
ＢｌｕｅＴｏｏｔｈを利用した携帯装置は、ＢｌｕｅＴｏｏｔｈの電波を利用して位置情報を提供する。
【発明の開示】
【発明が解決しようとする課題】
【０００５】
上記の従来技術には次のような課題がある。
携帯機器本体にＧＰＳ受信機を内蔵したり、メモリカード等のインタフェースを利用した携帯装置は、ＧＰＳ受信機が携帯機器本体に近いため本体からのノイズの影響を受けやすく、ＧＰＳ装置の性能、具体的には、感度や位置制度、測位時間が十分に得られない場合がある。
【０００６】
メモリカード等のインタフェースを利用した携帯装置においては、スロットルをＧＰＳ機能使用時には占有してしまうため他の用途には使用できない。
【０００７】
ＢｌｕｅＴｏｏｔｈを利用した携帯装置においては、ＧＰＳ受信機とＢｌｕｅＴｏｏｔｈ一体の装置側に電池が必要となり装置が大型化し、また電池がなくなると使用できない。なにより上記インタフェースを利用する場合、携帯機器側にこれらインターフェースを搭載していなければならい。
【０００８】
本発明は、かかる事情に鑑みてなされたものであり、その目的は、携帯機器本体との接続を簡単にすることができ、また、携帯機器本体からのノイズの影響を受けにくく、ＧＰＳの機能を十分に発揮させることが可能な携帯装置を提供することにある。
【課題を解決するための手段】
【０００９】
上記目的を達成するため、本発明の携帯装置は、外部からの操作に応じて所定の処理を行う携帯機器本体と、上記携帯機器本体を外部から操作するリモートコントローラ本体と、を有し、上記携帯機器本体は、上記リモートコントローラ本体の駆動電力を供給可能な電源回路と、上記外部からの操作情報に応じた処理の制御を行う第１の制御回路と、含み、上記リモートコントローラ本体は、少なくとも情報ラインおよび電源ラインを有し、上記携帯機器本体に接続可能な接続手段と、上記携帯機器本体を操作するための少なくとも一つの操作手段と、上記接続手段を介して上記携帯機器本体からの駆動電力を受け、衛星電波を受信して測位情報を得る測位用受信機と、少なくとも上記測位用受信機の測位情報に応じた位置情報を上記接続手段を介して上記携帯機器本体の上記第１の制御回路に提供する第２の制御回路と、を含む。
【００１０】
好適には、上記リモートコントローラ本体は、上記接続手段を介して供給される電源電圧を伝搬する電源ラインと、上記接続手段の情報ラインに接続された信号ラインとを有し、上記操作手段は、上記電源ラインと上記信号ライン間に接続されている。
【００１１】
好適には、上記リモートコントローラ本体は、上記接続手段を介して供給される駆動電力の上記第２の制御回路および測位用受信機への供給ラインに、当該供給ラインをオン、オフする電源スイッチを有する。
【００１２】
好適には、上記第２の制御回路は、上記測位用受信機の使用、不使用にかかわらず上記接続手段を介して上記携帯機器本体を制御可能で、上記測位用受信機の使用時に位置情報を上記接続手段を介して上記携帯機器本体の上記第１の制御回路に提供する。
【００１３】
好適には、上記リモートコントローラ本体は、ヘッドフォンジャックを有し、上記接続手段は、上記ヘッドフォンジャックに音楽／音声情報を供給する音楽／音声用端子を含む。
【００１４】
好適には、上記接続手段は、上記第２の制御回路の上記携帯機器本体の制御ラインと、上記位置情報の転送ラインとを共用する端子を含む。
【００１５】
好適には、上記接続手段は、上記第２の制御回路の上記携帯機器本体の制御ラインと音楽／音声用ラインとを含む第１の端子と、位置情報の転送ラインを含む第２の端子を含む。
【００１６】
好適には、上記リモートコントローラ本体は、表示装置を有し、上記第２の制御回路は、上記表示装置の表示制御を行う。
【００１７】
好適には、上記携帯機器本体の第１の制御回路は、上記第２の制御回路に対して上記接続手段を介して位置情報の更新時間を任意に設定可能である。
【００１８】
好適には、上記携帯機器本体の第１の制御回路は、上記第２の制御回路に対し上記接続手段を介して上記測位用受信機をスリープモードまたは起動状態に設定させる。
【００１９】
好適には、上記第２の制御回路は、上記操作手段が所定時間操作されない場合には、上記測位用受信機をスリープモードに設定し、上記操作手段が操作されると上記測位用受信機を起動させる  。
【００２０】
本発明によれば、たとえば携帯機器本体に接続手段の端子を挿入することにより携帯機器本体側から駆動電力がコントローラ本体に供給され、コントローラと測位用受信機は使用可能となる。
測位用受信機内蔵コントローラ本体は、たとえばケーブルによって接続でき、携帯機器本体から離れるため、携帯機器本体からのノイズの影響を受けにくい。
また、ほとんど携帯機器はイヤフォンジャックを搭載しているためイヤフォンジャックを利用することでほとんどの携帯機器に接続することができる。
また、コントローラ本体の操作手段が操作されたかの判断および／または表示装置の動作は第２の制御回路側が行うので専用のマイクロコントローラが不要となる。
位置情報を提供する端子と、音楽／音声の端子は別になっており音楽あるいは音声を聞きながら位置情報を提供できる。
さらにコントローラとしても使用できるため、測位用受信機搭載によってコントローラの機能に障害を与えることはない。
【発明の効果】
【００２１】
本発明によれば、携帯機器本体との接続を簡単にすることができ、また、携帯機器本体からのノイズの影響を受けにくいという利点がある。
また、携帯機器に搭載しているヘッドフォンジャックを使用するのでほとんどの携帯機器に接続が可能となる。
【発明を実施するための最良の形態】
【００２２】
以下、本発明の好適な実施形態を添付図面に関連付けて説明する。
【００２３】
＜第１実施形態＞
図１は、本発明に係る携帯装置の第１の実施形態を示すシステム構成図である。図２（Ａ），（Ｂ）は、本第１の実施形態に係る携帯装置のリモートコントローラ本体の一例を示す外観図であって、図２（Ａ）はその正面図、図２（Ｂ）はその側面図である。
【００２４】
本携帯装置１は、ＧＰＳ受信機を内蔵したリモートコントローラ本体２（以下、コントローラ本体とう）、携帯機器本体（以下、モバイル機器本体という）３、およびヘッドフォン４を主構成要素として有している。
本実施形態においては、コントローラ本体２の電源電圧ＶＤＤはモバイル機器本体３から供給される。すなわち、コントローラ本体２は、電源回路を備えていない構成となっている。
【００２５】
コントローラ本体２は、ヘッドフォンジャック２１と、モバイル機器本体３に接続するための接続手段としてのモバイル機器接続端子２２と、モバイル機器本体３を操作するための操作手段としてのコントロール用キー群２３と、ＧＰＳ受信機用電源スイッチ２４と、ＧＰＳ受信機２５と、ＧＰＳ受信機２５とモバイル機器本体３を制御するための制御回路（第２の制御回路）２６とを有している。
【００２６】
そして、ヘッドフォンジャック２１が本体上部に配置され、モバイル機器接続端子２２が本体下部にケーブルＣＢＬ２２により接続され、モバイル機器本体３を操作するためのコントロール用キー群２３が本体正面側に配置され、ＧＰＳ受信機用電源スイッチ２２が側面に配置されている。
また、コントローラ本体２の内部には、ＧＰＳ受信機２５を搭載した第１集積回路ＩＣ２１と、コントローラ用の制御回路搭載の第２集積回路ＩＣ２２とが収容されている。
【００２７】
なお、第１集積回路ＩＣ２１と第２集積回路ＩＣ２２とは、たとえば図３（Ａ），（Ｂ）に示すように、一枚の回路基板ＳＵＢ２１の裏面側に第１集積回路ＩＣ２１を集積化し、回路基板ＳＵＢ２１の表面側に第２集積回路ＩＣ２２を集積化することが可能である。
図３の例では、ヘッドフォンジャック２１は、回路基板ＳＵＢ２１の一側部に形成されれ、第２集積回路ＩＣ２２の制御回路２６と接続されている。
【００２８】
モバイル機器接続端子２２は、ステレオ音楽／音声をヘッドフォンジャック２１に供給するためのステレオ音楽／音声用端子２２１と、コントローラ端子２２２を有する。
コントローラ端子２２２は、ＧＰＳ受信機用端子がモバイル機器コントローラ用端子と共用となっている。
コントローラ端子２２２は、モバイル機器本体３からの電源電圧ＶＤＤをコントローラ本体２内に供給するための電源端子ＴＶＤＤと、グランド端子ＴＧＮＤと、制御回路２６により情報をモバイル機器本体３に転送するための送信端子ＴＴＸと、モバイル機器からの情報を制御回路２６に入力させるための受信端子ＴＲＸとが並列に形成されている。
このような構成を有するモバイル機器接続端子２２は、図示しないモバイル機器本体３の所定の接続端子に接続可能に構成されている。
【００２９】
コントロール用キー群２３は、たとえば巻き戻しスイッチＳＷ１、早送りスイッチＳＷ２、再生スイッチＳＷ３、停止スイッチＳＷ４、ボリュームスイッチＳＷ５，ＳＷ６を有している。
各スイッチＳＷ１〜ＳＷ６の端子ａは、電源端子ＴＶＤＤに接続された電源ラインＶＬＮに接続され、各端子ｂはそれぞれ異なった抵抗値の抵抗素子Ｒ１〜Ｒ６を介して信号ラインＳＬＮに接続されている。そして、電源ラインＶＬＮの電源端子ＴＶＤＤとの接続部とスイッチＳＷ１の端子ａとの接続間に抵抗素子Ｒ７が接続されている。
信号ラインＳＬＮは、制御回路２６に接続され、各スイッチＳＷ１〜ＳＷ６が操作されたとき（たとえば押下されたとき）、各スイッチＳＷ１〜ＳＷ６からは、抵抗素子Ｒ１〜Ｒ６を介してそれぞれ異なった値の電圧信号が出力される。
【００３０】
電源スイッチ２４は、オン、オフスイッチであり、端子ａが電源端子ＴＶＤＤに接続され、端子ｂが制御回路２６の電源端子に接続されている。
モバイル機器接続端子２２がモバイル機器本体３に接続され、モバイル機器本体３が電源オン状態にある場合に、電源スイッチ２４がオンにされると、ＧＰＳベースバンド部を含む制御回路２６およびＧＰＳ受信機２５に駆動電力が供給されることになる。
【００３１】
ＧＰＳ受信機２５は、ＧＰＳアンテナ２５１、およびＧＰＳＲＦ信号に対する所定の処理を行うＧＰＳフロントエンド部２５２を有する。ＧＰＳ受信機２５は、電源スイッチ２４がオン状態時に駆動電力が供給される。
【００３２】
ＧＰＳアンテナ２５１は、たとえば周波数１５７５．４２ＭＨｚのＧＰＳからの所定フォーマットを有する無線ＲＦ信号を受信してＧＰＳフロントエンド部２５２に供給する。
【００３３】
ＧＰＳフロントエンド部２５２は、たとえば図示しない低雑音増幅器（ＬＮＡ）、ＳＡＷフィルタからなるバンドパスフィルタ（ＢＰＦ）、アンプ、周波数シンセサイザ、ミキサ、アンプ、ローパスフィルタ（ＬＰＦ）、および２値化回路（ＡＤＣ）を含む。
このような構成を有するＧＰＳフロントエンド部２５２は、ＧＰＳアンテナ２５１で受信されたＲＦ信号を、低雑音増幅器で増幅し、ＢＰＦでＧＰＳ信号帯域外の信号を除去し、アンプを介してミキサに入力する。
そして、ミキサにおいて、周波数シンセサイザによるたとえば周波数１５７４．３９７ＭＨｚの発振信号とミキシングし、さらにアンプ、ＬＰＦを通して、たとえば周波数１．０２３ＭＨｚの中間周波信号（ＩＦ信号）を抽出し、抽出したＩＦ信号を２値化回路でデジタル信号に変換してシリアル信号のＩＦ信号として制御回路２６のＧＰＳ回路（ＧＰＳベースバンド部）に出力する。
【００３４】
制御回路２６は、ＧＰＳ受信機２５の使用、不使用に関わらずモバイル機器本体３を操作できるコントローラとして機能し、ＧＰＳ受信機２５の使用時は位置情報をＧＰＳ受信機用端子ＴＴＸからモバイル機器本体３に位置情報を提供する。
制御回路２６は、ＧＰＳベースバンド部を含むＧＰＳ回路（ＧＰＳ・ＬＩＳ）２６１を内蔵し、このＧＰＳ回路２６１には、ＣＰＵとアナログ・デジタルコンバータ（ＡＤＣ）２６２が内蔵されており、信号ラインＳＬＮを通して入力される電圧信号に基づいて、コントロール用キー群２３のどのキースイッチキーが操作されたかの判断を受け持ち、これらの情報をモバイル機器本体３のＣＰＵへＵＡＲＴ２６３を通して送信する。
【００３５】
制御回路２６のＧＰＳベースバンド部は、システムクロックに基づいて、ＧＰＳ受信機２５のＧＰＳフロントエンド部２５１によりＩＦ信号を受けて、初期またはシステムが大きく同期状態をはずした場合に同期点を捜し出す同期捕捉（ａｃｑｕｉｓｉｔｉｏｎ）と、同期捕捉がなされた後に拡散符号の１チップ長よりも十分に小さな遅延差に制御し、Ｃ／Ａ（Ｃｏａｓｅ／Ａｃｑｕｉｓｉｔｉｏｎ、または、Ｃｌｅａｒ  ａｎｄ  Ａｃｑｕｉｓｉｔｉｏｎ）コード、キャリア同期をとり続ける同期保持（ｔｒａｃｋｉｎｇ）とを行い、また、レンジデータ、ドップラシフト量、航法メッセージ、時刻等に基づいて測位演算、位置検索等の処理を行う。
【００３６】
モバイル機器本体３は、電源回路３１、たとえばＣＤやＭＤからの音楽／音声の再生処理を行う音楽／音声再生回路３２、制御回路（第１の制御回路）３３、およびグランド端子（ＧＮＤ）３４を、主構成要素として有している。
【００３７】
電源回路３１は、モバイル機器本体３の各部に駆動電力を供給し、また、モバイル機器接続端子２２を介して接続されたコントローラ本体２に対して制御回路およびＧＰＳ受信機用駆動電力を供給する。
音楽／音声再生回路３２は、制御回路３３の制御に従って、たとえばＣＤやＭＤからの音楽／音声の再生処理等を行う。
【００３８】
制御回路３３は、ＡＤＣ３３１、ＣＰＵ３３２、およびＵＡＲＴ３３３を有する。
制御回路３３は、モバイル機器接続端子２２を介してコントローラ本体３の制御回路２６のＵＡＲＴ２６３とＴＡＲＴ３３３で接続され、キースイッチＳＷ１〜ＳＷ６の情報とＧＰＳからの位置情報とコマンドの送受は制御回路３３とコントローラ本体３の制御回路２６のＵＡＲＴを通して行う。
ＡＤＣ３３１は、コントローラ本体２のキースイッチＳＷ１〜ＳＷ６が操作されたときそれぞれのキーからの電圧は抵抗値が異なっているため電圧は全て異なった電圧値が出力されるが、その電圧値がモバイル機器接続端子２２を介して入力し、デジタル信号に変換しＣＰＵ３３２に出力する。
ＣＰＵ３３２は、ＡＤＣ３３１の出力値を読むことによって、コントローラ本体２のどのキースイッチＳＷ１〜ＳＷ６が操作されたかを判断し、モバイル機器本体３を制御する。
また、たとえば通常、ＧＰＳ受信機から出力される位置情報は１秒ごとに更新されるが、ＣＰＵ３３２は、コマンドによって任意の更新時間を設定する。
【００３９】
次に、上記構成による動作を説明する。
【００４０】
コントローラ本体２に設けられたモバイル機器本体３へのモバイル機器接続端子２２がモバイル機器本体３の所定の接続端子に接続されると、モバイル機器本体３の電源回路３１による電源電圧ＶＤＤがコントローラ本体２の電源端子ＴＶＤＤ、電源ラインＶＬＮに供給され、コントローラ本体２が使用可能となる。
【００４１】
ここで、コントローラ本体２に配置されたキースイッチＳＷ１〜ＳＷ６のうちのいずれかのスイッチが操作されたとき、それぞれのキースイッチＳＷ１〜ＳＷ６からの電圧は、信号ラインＳＬＮとの間に接続された抵抗素子Ｒ１〜Ｒ６の抵抗値が異なっているため電圧は全て異なった電圧値が出力される。
この電圧信号は、信号ラインＳＬＮ、制御回路２６を通し、さらにモバイル機器接続端子２２を通してモバイル機器本体３の制御回路３３に搭載されているＡＤＣ３３１に入力される。このＡＤＣ３３１による電圧出力値がＣＰＵ３３２に読み込まれている。これにより、ＣＰＵ３３２において、どのキースイッチが操作されたが判断され、その判断結果に基づいてモバイル機器本体２の所定の機能回路を制御する。
【００４２】
また、コントローラ本体２の電源スイッチ２４がオンにされると、制御回路２６およびＧＰＳ受信機２５に電源電圧ＶＤＤが供給される。これにより、ＧＰＳ機能が動作を開始する。
そして、所定フォーマットを有する無線ＲＦ信号がＧＰＳアンテナ２５１で受信されてＧＰＳフロントエンド部２５２に供給される。
ＧＰＳフロントエンド部２５２では、ＧＰＳアンテナ２５１で受信されたＲＦ信号が、低雑音増幅器で増幅され、ＢＰＦでＧＰＳ信号帯域外の信号が除去される。そして、所定の増幅作用を受けた後、ＲＦ信号はミキサにおいて、周波数シンセサイザによる発振信号とミキシングされ、さらにアンプ、ＬＰＦを通して、ＩＦ信号を抽出される。抽出されたＩＦ信号が２値化回路でデジタル信号に変換されて制御回路２６のＧＰＳ回路２６１のＧＰＳベースバンド部に供給される。
【００４３】
ＧＰＳ回路２６１のＧＰＳベースバンド部においては、ＧＰＳ受信機２５のＧＰＳフロントエンド部２５１によりＩＦ信号を受けて、同期捕捉と、同期保持とが行われ、また、レンジデータ、ドップラシフト量、航法メッセージ、時刻等に基づいて測位演算、位置検索等の処理が行われる。
そして、制御回路２６において、ＧＰＳ回路２６１のＵＡＲＴ２６３から位置情報が、モバイル機器接続端子２２を通してモバイル機器本体３の制御回路３に出力される。
なお、通常、ＧＰＳ受信機から出力される位置情報は１秒ごとに更新されるが、モバイル機器本体３のＣＰＵ３３１からコマンドによって任意の更新時間が設定され、設定された更新時間でＧＰＳ受信機からの位置情報が出力される。
また、ＧＰＳ受信機の電源スイッチ２４を切ることなくモバイル機器本体３のＣＰＵ３３１からのコマンドによってＧＰＳ受信機をスリープ状態とし、また起動させることも可能で消費電力の低減が可能である。
ＧＰＳ受信機能が動作状態でコントローラ本体２のキースイッチＳＷ１〜ＳＷ６が操作されても、ＧＰＳ受信機の送受とキースイッチＳＷ１〜ＳＷ６の操作に基づき信号ラインＳＬＮは別系統なため、キースイッチＳＷ１〜ＳＷ６の操作信号の受付は可能である。
【００４４】
以上説明したように、本第１の実施形態によれば、ＧＰＳ受信機とＧＰＳアンテナを搭載した第１集積回路ＩＣ２２と、コントローラ用の制御回路搭載の第２集積回路ＩＣ２２をコントローラ本体２に格納し、コントローラ本体２にはヘッドフォンジャック２１とモバイル機器へ接続される音楽／音声用端子とＧＰＳ用端子２２を備え、モバイル機器本体２２にこの端子２２を挿入することによりモバイル機器本体３側から電源電圧ＶＤＤが供給され、コントローラとＧＰＳ機能は使用可能となるように構成されていることから、以下の効果を奏する。
【００４５】
すなわち、ＧＰＳ受信機内蔵コントローラはケーブルによって接続され、モバイル機器本体３から離れるため本体からのノイズの影響を受けにくい。
また、ほとんどモバイル機器はイヤフォンジャックを搭載しているため、イヤフォンジャックを利用することでほとんどのモバイル機器へ接続することができる。また、コントローラ本体２のどのキースイッチＳＷ１〜ＳＷ６が操作されたかの判断を、ＧＰＳ回路６１Ｉ側が行うので、専用のマイクロコントローラが不要となる。
ＧＰＳの位置情報を提供する端子と、音楽／音声の端子は別になっており音楽あるいは、音声を聞きながら位置情報を提供できる。
さらに、コントローラとしても使用できるためＧＰＳ装置搭載によってコントローラの機能に障害を与えることはない。
【００４６】
なお、本第１の実施形態においては、ＧＰＳ受信機とＧＰＳアンテナを搭載した第１集積回路ＩＣ２１と、コントローラ用の制御回路搭載の第２集積回路ＩＣ２２を１枚の回路基板ＳＵＢ２１の表裏面にそれぞれ集積化してコントローラ本体内に収納する例を説明したが、たとえば図４に示すように、ＧＰＳ受信機とＧＰＳアンテナを搭載した第１集積回路ＩＣ２１を集積化した第１回路基板ＳＵＢ２２と、コントローラ用の制御回路搭載の第２集積回路ＩＣ２２を集積化した第２回路基板ＳＵＢ２３を別々に設けるように構成することも可能である。
【００４７】
また、本第１の実施形態においては、モバイル機器接続端子２２において、コントローラ端子２２２が、ＧＰＳ受信機用端子とモバイル機器コントローラ用端子と共用となっている例を説明したが、たとえば図４に示すように、コントローラ端子２２２ａとステレオ音楽／音声用端子２２１とを一つのジャック型端子（第１の端子）で共有させ、ＧＰＳ用コントロール端子（第２の端子）２２３を別個に設けるように構成することも可能である。
この場合も、ＧＰＳ用コントロール端子２２３は、モバイル機器本体３からの電源電圧ＶＤＤをコントローラ本体２内に供給するための電源端子ＴＶＤＤと、グランド端子ＴＧＮＤと、制御回路２６により情報をモバイル機器本体３に転送するための送信端子ＴＴＸと、モバイル機器からの情報を制御回路２６に入力させるための受信端子ＴＲＸとが並列に形成されている。
【００４８】
また、本第１の実施形態においては、電源スイッチ２４をコントローラ本体２に設けた例を説明したが、たとえばモバイル機器本体３が電源の入り切りを操作できるものであれば必ずしも設ける必要は無い。
【００４９】
＜第２実施形態＞
図５は、本発明に係る携帯装置の第２の実施形態を示すシステム構成図であり、図６は本第２の実施形態に係る携帯装置のリモートコントローラ本体の一例を示す外観図である。
【００５０】
本第２の実施形態に係る携帯装置１Ａが上述した第１の実施形態に係る携帯装置１と異なる点は、コントローラ本体２Ａに、たとえば液晶表示装置（ＬＣＤパネル）２７を設けたことにある。
【００５１】
本第２の実施形態では、制御回路２６ＡのＧＰＳ回路２６１ＡにＬＣＤパネル２７が接続されており、ＧＰＳ回路２６１ＡがＬＣＤパネル２７の表示をコントロールする。
【００５２】
このように、ＬＣＤパネル２７を有するコントローラ本体２Ａの場合、コントローラ本体２ＡのキースイッチＳＷ１〜ＳＷ６の操作情報はモバイル機器本体３の制御回路３３のＡＤＣ３３１と、コントローラ本体２Ａの制御回路２６ＡにおけるＡＤＣ２６２の両方に入力される。
ＬＣＤパネル２７は、ＧＰＳ回路２６１Ａに接続され、上述したように、ＬＣＤのコントロール、表示はＧＰＳ回路２６１Ａが受け持つ。
モバイル機器本体３のＣＰＵ３３２は、コントローラ本体２Ａのキースイッチの操作情報からモバイル機器本体３の制御を受け持つ。
一方、コントローラ本体２Ａの制御回路２６（ＧＰＳ回路）にもキースイッチの操作情報が入力されているが、ＧＰＳ回路２６１Ａは、モバイル機器本体３の操作制御は行わず、キースイッチの操作情報からＬＣＤパネル２７への表示を受け持つ。
【００５３】
また、ＬＣＤパネル２７を有するコントローラ本体２ＡにはＧＰＳをオン、オフする電源スイッチは持っていないので、コントローラ本体２Ａのモバイル機器本体３への接続端子２２がモバイル機器本体に挿入された場合、自動的にＧＰＳ受信機に電源による電力は供給される。
電源による電力が供給された当初はＧＰＳの機能は動作しておらず、ＬＣＤパネル２７のコントロール、表示とキースイッチが操作されたときのキーの内容判断を受け持つ。
このとき、ＧＰＳ回路２６１ＡのＧＰＳの機能を受け持つＧＰＳベースバンド回路は、内蔵されているＣＰＵによってオフにされており消費電力が低減されている。
キースイッチがある一定時間（たとえば、１分以上）操作されなければＧＰＳ受信機は自動的スリープモードになり消費電力を抑えることが可能である。
スリープモードに入ったＧＰＳ受信機を起こす場合は、キースイッチの操作情報がＧＰＳ受信機のＧＰＳ回路２６１ＡのＮＭＩ２６４にも接続されているため、何らかのキースイッチが操作されれば自動的に起動する。
また、モバイル機器本体３のＣＰＵ３３２からのコマンドによっても起動させることは可能である。
【００５４】
その他基本的な動作はＬＣＤを有しないコントローラ本体と同じである。
【００５５】
本第２の実施形態によれば、上述した第１の実施形態の効果と同様の効果を得ることができる。
【図面の簡単な説明】
【００５６】
【図１】本発明に係る携帯装置の第１の実施形態を示すシステム構成図である。
【図２】本第１の実施形態に係る携帯装置のリモートコントローラ本体の一例を示す外観図であって、（Ａ）はその正面図、（Ｂ）はその側面図である。
【図３】ＧＰＳ受信機とＧＰＳアンテナを搭載した第１集積回路と、コントローラ用の制御回路搭載の第２集積回路を１枚の表裏面にそれぞれ集積化してコントローラ本体内に収納する例を示す図である。
【図４】ＧＰＳ受信機とＧＰＳアンテナを搭載した第１集積回路を集積化した第１回路基板と、コントローラ用の制御回路搭載の第２集積回路を集積化した第２回路基板を別々に設け、コントローラ本体内に収納する例を示す図である。
【図５】本発明に係る携帯装置の第２の実施形態を示すシステム構成図である。
【図６】本第２の実施形態に係る携帯装置のリモートコントローラ本体の一例を示す外観図である。
【符号の説明】
【００５７】
１，１Ａ…携帯装置、２，２Ａ…ＧＰＳ受信機内蔵リモートコントローラ本体、２１…ヘッドフォンジャック、２２…モバイル機器接続端子、２３…モバイル機器本体コントロール用キー群、２４…電源スイッチ、２５…ＧＰＳ受信機、２５１…ＧＰＳアンテナ、２５２…ＧＰＳフロントエンド部、２６，２６Ａ…第２の制御回路、２６１，２６１Ａ…ＧＰＳ回路、２７…ＬＣＤパネル、３…モバイル機器本体、３１…電源回路、３３…第１の制御回路。
【図１】
2005249668.tif 000003
【図２】
2005249668.tif 000004
【図３】
2005249668.tif 000005
【図４】
2005249668.tif 000006
【図５】
2005249668.tif 000007
【図６】
2005249668.tif 000008